(57)【要約】【課題】汚水槽の内部を視認することが容易である汚水排水設備を提供する。【解決手段】汚水排水設備は、水を一時貯留する汚水槽と、汚水槽内の水を排水するポンプと、を備える。そして、汚水槽の側面には開口が形成されており、開口に透明または半透明の窓部材が設けられている。【選択図】図１
2018145609.tif 000002
【特許請求の範囲】
【請求項１】
水を一時貯留する汚水槽と、
前記汚水槽内の水を排出するポンプと、
を備え、
前記汚水槽の側面には開口が形成されており、前記開口に透明または半透明の窓部材が設けられている、
汚水排水設備。
【請求項２】
前記窓部材は、締結具によって前記汚水槽に取り付けられており、
前記窓部材と前記汚水槽との隙間を封止する封止部材を更に備えている、
請求項１に記載の汚水排水設備。
【請求項３】
前記汚水槽の内部に光を照射する照明装置を更に備えている、
請求項１または２に記載の汚水排水設備。
【請求項４】
前記照明装置を覆う透明または半透明のカバーを更に備える、
請求項３に記載の汚水排水設備。
【請求項５】
前記汚水槽の内部には、前記窓部材を払拭するための払拭機構が設けられている、
請求項１から４の何れか１項に記載の汚水排水設備。
【請求項６】
前記汚水槽は、１基または複数基のバレルにより構成されており、前記ポンプの吸込口に接続されるバレルの側面、または、前記ポンプを収容するバレルの側面に、前記開口が形成されて前記窓部材が設けられている、
請求項１から５の何れか１項に記載の汚水排水設備。
【請求項７】
前記汚水槽は、複数のパネル部材により構成されており、
前記複数のパネル部材の少なくともひとつに前記窓部材が設けられていることを特徴とする、
請求項１から６の何れか１項に記載の汚水排水設備。
【請求項８】
前記複数のパネル部材のそれぞれは、少なくとも板面における短辺の長さが前記ピットに形成された開口の直径以下である、
請求項７に記載の汚水排水設備。
【請求項９】
前記汚水槽は、底面と側面と上面とで画定される内部空間を有する、
請求項１から８の何れか１項に記載の汚水排水設備。
【請求項１０】
前記開口は、少なくとも一部が前記ポンプの吸込口と同じ高さに形成されている、
請求項１から９に記載の汚水排水設備。
【請求項１１】
前記汚水槽内の水位を検知する水位センサを更に備え、
前記ポンプは、前記水位センサにより所定の停止水位よりも水位が下がったことが検知されたときに運転を停止し、前記水位センサにより前記停止水位よりも高い所定の始動水位よりも水位が上がったことが検知されたときに始動する、
請求項１から１０の何れか１項に記載の汚水排水設備。
【請求項１２】
前記汚水槽は、下水道管よりも低い位置に設置された排水槽であるピット内に収容されたことを特徴とする
請求項１から１１の何れか１項に記載の汚水排水設備。
【発明の詳細な説明】
【技術分野】
【０００１】
本発明は、汚水排水設備に関する。
【背景技術】
【０００２】
一般に汚水、廃水、または河川水等を水槽に一時貯留し、ポンプで排水する汚水排水設備では、その液体にごみや汚物が含まれる。特に地下構造を備える建築物においては、地階部分で生じた汚水等はもちろんのこと、建物内で発生した汚水も地下に設置された大きな排水槽又は汚水槽（ピット、又はビルピットとも呼ばれる）に一時貯留されることがある。これら一時貯留された液体は公共下水道管よりも下に位置しているので、ピット内に設置されたポンプによって汚水ますに汲み上げられ、汚水ますを介して公共下水道管に排水される。
【０００３】
図１２に示すように、建築物１００の地階部分Ｂは、公共下水道管８０よりも下に位置している場合がある。従来、こうした地階部分Ｂで生じた汚水及び雑排水等（以下、汚水等という）は、流入管８１を介して更に下に設置された大きな排水槽８５に一時貯留される。その後、汚水等は、排水槽８５内に設置された排水用のポンプ９０によって汚水ます９１に汲み上げられ、汚水ます９３を介して公共下水道管８０に排水される。なお、建築物１００の１階以上の部分で生じる汚水等は、通常直接に自然流下で汚水ます９１に排水される。
【０００４】
こうした設備では、ポンプ９０は、排水槽８５内の水位が所定の水位になった場合に運転が開始される。しかし、排水槽８５内の水位が所定の水位まで至らずに排水槽８５の底部に汚水等が長時間残留すると、腐敗が進行して、公共下水道管８０への放流時にマンホール等から悪臭が発生する場合がある。
【０００５】
上記問題は、排水槽８５が大きすぎることにより、水槽底面の面積が大きく、残留する汚水等の水量が多くなるために顕著になっている。これを改善するため図１２に示す排水槽８５においては、排水槽８５の底盤８７に排水ポンプ９０に向けて下降する勾配を設けたり、ポンプ９０を設置する部分の底盤８７に凹部８９を設けたりしている。また、ポンプ９０の運転方法を改善して、例えばポンプオフ水位ＷＬ２までポンプ９０を運転した後、さらに所定時間にわたって排水ポンプ９０の運転を継続するようにして、できるだけ残留する汚水等の水量を減らすようにしている。
【０００６】
しかしながら上記のように改善しても、残留する汚水や雑排水の量は依然として多く、汚水や雑排水の腐敗進行を抑制するまでには至っていない。このため、従来、排水槽（ピット）内に筒型水槽（バレル）を配置して、バレル内にポンプを採用した汚水排水設備が提案されている。
【先行技術文献】
【特許文献】
【０００７】
【特許文献１】特許第４４５５７４２号明細書
【発明の概要】
【発明が解決しようとする課題】
【０００８】
上記した汚水排水設備では、ピットに形成されているマンホールを通じてバレルをピット内に搬入できるように、バレルの径がマンホールの径に合わせて設計される。つまり、バレルの径が制限されるため、複数人がバレル内に入ることは難しく、バレル内の清掃ま
たはメンテナンス等の作業は煩雑であった。
【０００９】
また、バレル内にはポンプの始動・停止を制御するために水位センサが設置される場合がある。上記したようにポンプを停止するときにはバレル内に残留する汚水の量を少なくしたいため、ポンプを停止する停止水位は低い位置に設定されることが好ましい。しかし、こうした設備に用いられる多くのポンプは吸込口から空気が吸い込まれることを想定していないため、ポンプに空気が吸い込まれないように始動水位は適切な位置に設定されることが求められる。また、停止水位についても、ポンプの始動・停止が頻繁になされることはエネルギー効率を悪化させ、その一方でバレル（汚水槽）に多量の汚水が溜められないように適切な位置に設定されることが求められる。
【００１０】
ポンプの始動水位および停止水位は、バレル（汚水槽）の形状、建築物の設備、ポンプの性能などに基づいて、計算により定められる。しかし、実際の汚水型排水設備ごとの最適な始動水位および停止水位は、計算により定めた水位と多少異なる場合がある。このため、実際に設備を備え付けるときには、現場の作業員が試験運転などを行うことにより始動水位および停止水位を調整することが行われている。しかし、上記のようにピット内に設置される汚水槽は大きさ及び形状が制限されており、試験運転時に現在の汚水槽内の水位を目視により確認することは困難な場合があった。
【００１１】
また、汚水排水設備では、例えばポンプの吸込口に異物が詰まってポンプが異常停止した場合にも、外部からは汚水槽の内部を確認することができず、異常の原因を把握することが困難な場合があった。
【００１２】
本発明は上述の点に鑑みてなされたものであり、汚水槽の内部を視認することが容易である汚水排水設備を提供することを目的とする。
【課題を解決するための手段】
【００１３】
（形態１）形態１によれば、汚水排水設備が提供され、かかる汚水排水設備は、水を一時貯留する汚水槽と、汚水槽内の水を排出するポンプと、を備え、汚水槽の側面には開口が形成されており、開口に透明の窓部材が設けられている。
形態１によれば、汚水槽の側面の開口に設けられた透明の窓部材を通じて、汚水槽の内部を視認することができる。このため、汚水槽の内部を容易に視認することができる。
【００１４】
（形態２）形態２によれば、形態１の汚水排水設備であって、  窓部材は、締結具によって汚水槽に取り付けられており、窓部材と汚水槽との隙間を封止する封止部材を更に備えている。
形態２によれば、汚水槽に窓部材を容易に設けることができる。また、汚水槽をピット内に搬送した後にピット内で窓部材を汚水槽に容易に取り付けることもできる。
【００１５】
（形態３）形態３によれば、形態１または２の汚水排水設備であって、汚水槽の内部に光を照射する照明装置を更に備えている。
形態３によれば、照明装置によって汚水槽の内部に光を照射することができるので、窓部材を通じて汚水槽内をより明確に視認することができる。
【００１６】
（形態４）形態４によれば、形態３の汚水排水設備であって、照明装置を覆う透明または半透明のカバーを更に備える。
形態４によれば、汚水または汚水の腐敗に伴う気体から照明装置を保護することができる。
【００１７】
（形態５）形態５によれば、形態１から４の何れか１つの汚水排水設備であって、汚水槽
の内部には、窓部材を払拭するための払拭機構が設けられている。
形態５によれば、窓部材に付着した異物を除去することができ、窓部材を通じて汚水槽の内部を視認することができる。
【００１８】
（形態６）形態６によれば、形態１から５の何れか１つの汚水排水設備であって、汚水槽は、１基または複数基のバレルにより構成されており、ポンプの吸込口に接続されるバレルの側面、または、ポンプを収容するバレルの側面に、開口が形成されて窓部材が設けられている。
【００１９】
（形態７）形態７によれば、形態１から５の何れか１つの汚水排水設備であって、汚水槽は、複数のパネル部材により構成されており、複数のパネル部材の少なくともひとつに窓部材が設けられていることを特徴とする。
形態７によれば、汚水槽が複数のパネル部材により形成されるため、例えば汚水槽への水の流入量に合わせて汚水槽のサイズを定めることができる。
【００２０】
（形態８）形態８によれば、形態７の汚水排水設備であって、複数のパネル部材のそれぞれは、少なくとも板面における短辺の長さがピットに形成された開口の直径以下である。
形態８によれば、ピットに形成された開口を通じてパネル部材をピット内に搬入することができる。
【００２１】
（形態９）形態９によれば、形態１から８の何れか１つの汚水排水設備であって、汚水槽は、底面と側面と上面とで画定される内部空間を有する。
形態９によれば、汚水槽から外部に悪臭が漏れ出すのを防止できる。
【００２２】
（形態１０）形態１０によれば、形態１から９の何れかの汚水排水設備であって、開口は、少なくとも一部がポンプの吸込口と同じ高さに形成されている。
形態１０によれば、窓部材を通じてポンプの吸込口近傍を視認することができる。
【００２３】
（形態１１）形態１１によれば、形態１から１０の何れか１つの汚水排水設備であって、汚水槽内の水位を検知する水位センサを更に備え、ポンプは、水位センサにより所定の停止水位よりも水位が下がったことが検知されたときに運転を停止し、水位センサにより前記停止水位よりも高い所定の始動水位よりも水位が上がったことが検知されたときに始動する。
形態１１によれば、汚水槽内に設けられている水位センサに基づいてポンプの始動・停止を行うことができる。また、水位センサが検知する始動水位および停止水位を、窓部材を通じて視認しながら設定することができ、ポンプの始動・停止をより好適に行うことができる。
【００２４】
（形態１２）形態１２によれば、形態１から１１の何れか１つの汚水排水設備であって、汚水槽は、下水道管よりも低い位置に設置された排水槽であるピット内に収容されたことを特徴とする。
【図面の簡単な説明】
【００２５】
【図１】実施形態に係る悪臭防止型排水設備の構成概略を示す図である。
【図２】汚水槽を図１中Ａ−Ａ方向から示すＡＡ視図である。
【図３】実施形態に係る照明装置の構成概略を示す図である。
【図４】第１変形例に係る汚水槽を示す図である。
【図５】汚水槽が複数のパネル部材により構成されている例を示す図である。
【図６】ピット内へのパネル部材の搬入を模式的に示す図である。
【図７】第３変形例の汚水槽を示す図である。
【図８】第４変形例の汚水槽を示す図である。
【図９】汚水槽を図８中Ｂ−Ｂ方向から見たＢＢ視図である。
【図１０】第４変形例において窓部材が開口の内側から汚水槽に取り付けられている例を示す図である。
【図１１】第４変形例において、汚水槽の開口に窓部材を挟んで支持する支持部が形成されている例を示す図である。
【図１２】従来の排水設備の一例を示す概略側断面図である。
【発明を実施するための形態】
【００２６】
（第１実施形態）
以下、本発明の実施形態について図面を参照して説明する。図１は、汚水、廃水、または河川水等を汚水槽に一時貯留し、ポンプで排水する汚水排水設備の一実施形態に係る悪臭防止型排水設備の構成概略を示す図である。この悪臭防止型排水設備は、特に建築物（例えばビル）における公共下水道管よりも低い位置に位置する地階部分Ｂからの排水を公共下水道管８０に放流するのに好適に用いることができる。ただし、汚水排水設備は、こうした悪臭防止型排水設備に適用されるものに限定されず、汚水、廃水、または河川水等を汚水槽に一時貯留しポンプで排水する設備であればよく、例えば地上に配置されてもよい。
【００２７】
図１に示すように悪臭防止型排水設備１０は、建築物（例えばビル）１００の地階部分Ｂの下側に設置した排水槽であるピットＰｉ内に設けられている。ピットＰｉには、開口（マンホール）２４が形成されており、開口２４には蓋２５が取り付けられている。悪臭防止型排水設備１０は、ピットＰｉ内に設けられた汚水槽１２と、この汚水槽１２の流出口１６に接続されたポンプ２０と、汚水槽１２内部に設けられた照明装置３０と、を備える。本実施形態では、１基の汚水槽１２が設けられ、１台のポンプ２０が接続されている。
【００２８】
本実施形態では、汚水槽１２として、有底の円筒状のバレルが用いられている。汚水槽１２は、例えば強化プラスチック（ＦＲＰ）、塩化ビニルなどの複合材料または高分子材料などで形成することができる。汚水槽１２は、ピットＰｉの開口（マンホール）２４からピットＰｉ内に搬入できるように、開口２４の径Ｄｍ（例えば６００ｍｍ）よりも小さい外径（例えば５６０ｍｍ）となっている。本実施形態では、汚水槽１２は、底面１２ａ、側面１２ｂ、及び上面１２ｃにより画定される内部空間を有している。ただし、汚水槽１２は、天井または蓋を有さず、上面１２ｃが開口するように構成されてもよい。本実施形態では、汚水槽１２には、上面１２ｃに開口部１３が形成されており、開口部１３は蓋１４で覆われている。汚水槽１２には、蓋１４を貫通して流入管１５が内部に挿入されている。流入管１５は、地階部分Ｂより配管され、地階部分Ｂにおいて発生した汚水等を汚水槽１２内に流入させる。ただし、流入管１５は、汚水槽１２の蓋１４とピットＰｉの蓋２５とを貫通するものに限定されず、汚水槽１２の側面１２ｂまたは上面１２ｃを貫通してもよいし、ピットＰｉの側面または上面を貫通して配管されてもよい。
【００２９】
また、本実施形態では、汚水槽１２の底面１２ａには、貯留した汚水等を流出させる流出口１６が設けられている。流出口１６は底面１２ａにおいて下方に凹んだ凹部となっており、ポンプ２０の吸込配管２３の下端と流出口１６の下端とが同じ高さとなるように設計されている。このように、汚水槽１２の底面１２ａに凹んだ流出口１６が形成されることにより、汚水槽１２内の汚水等が流出口１６に案内され、ポンプ２０の排水運転が終了したときに汚水等の残留量を少なくして汚水槽１２内の腐敗を抑制できる。また、本実施形態では、汚水槽１２の底面１２ａには、流出口１６から遠いほど高さが高く、流出口１６に近いほど高さが低くなる傾向に傾斜が設けられるものとした。これにより、汚水槽１２内の汚水等を更に効果的に流出口１６に案内することができ、悪臭の発生を防止できる
。
【００３０】
汚水槽１２内には現在の水位を測定するための水位センサ２６が設置されている。水位センサ２６としては、フロート式、電極棒を用いるアナログ式、または、圧力検出式など、種々のセンサを用いることができる。なお、水位センサ２６の代わりに汚水槽１２に流入する汚水量を検出し、その汚水量を基に制御装置ＣＮにて汚水槽の水位を予測してもよい。本実施形態の水位センサ２６は、フロート式であり、ポンプ２０の停止水位Ｈｓ１を検知する第１フロート２６ａと、停止水位Ｈｓ１より高い水位であるポンプ２０の起動水位Ｈｓ２を検知する第２フロート２６ｂと、を備えている。ここで、停止水位Ｈｓ１は、ポンプ２０の運転中に空気が吸い込まれないように、ポンプ２０の吸込口の高さＨｐよりも高い位置とすることが好ましい。また、第１および第２フロート２６ａ，２６ｂが故障した時のバックアップとして、起動水位と停止水位の間に予備のフロートが設けられてもよい。
【００３１】
また、汚水槽１２の側面１２ｂには、外部から汚水槽１２の内部を視認できるように、のぞき窓４０が設けられている。本実施形態では、のぞき窓４０は、汚水槽１２の流出口１６の側面に設けられており、ポンプ２０の吸込口の高さＨｐを含む領域に設けられている。また、本実施形態では、のぞき窓４０は、水位センサ２６の第１および第２フロート２６ａ，２６ｂが設けられている高さを含む領域に設けられている。ただし、のぞき窓４０は、図１に示す例に限定されず、例えば流出口１６の近傍にだけ設けられてもよい。
【００３２】
図２は、汚水槽１２を図１中Ａ−Ａ方向から示すＡＡ視図である。図２に示すように、汚水槽１２の側面１２ｂには矩形状の開口１２ｄが形成されている。そして、開口１２ｄに外側から透明または半透明の窓部材４２が取り付けられることにより、のぞき窓４０が形成されている。具体的には、開口１２ｄの外側には開口１２ｄの縁の形状に応じた封止部材４６が配置され、封止部材４６の外側に窓部材４２が配置される。そして、窓部材４２の更に外側に枠部材４４が配置され、これらがボルトなどの締結具４８によって一体に取り付けられている。封止部材４６は、例えばゴムまたは樹脂などで形成され、汚水槽１２と窓部材４２との間に介在して、汚水槽１２と窓部材４２との隙間を封止する。また、枠部材４４は、例えば金属などの剛性の高い素材で形成され、のぞき窓４０の強度を確保する。
【００３３】
なお、窓部材４２が十分に高い剛性を有している場合などには、汚水槽１２の外周の湾曲形状に合わせて窓部材４２を加工し、窓部材４２が自由に湾曲する場合には、そのまま汚水槽１２に合わせ、枠部材４４を設けることなく、窓部材４２と汚水槽１２とが締結具４８によって固定されてもよい。また、汚水槽１２への窓部材４２への固定は、締結具４８によるものに限定されず、嵌め込み、接着、または、溶着などによって行われてもよい。さらに、上述した封止部材４６に代えてまたは加えて、接着材やコーキング材等を用い、窓部材４２の外側から汚水槽１２と窓部材４２とを当接させて汚水槽１２と窓部材４２との隙間を封止してもよいし、汚水槽１２の内側から汚水槽１２と窓部材４２とを当接させて封止してもよい。また、汚水槽１２と窓部材４２とが十分に密着している場合などには、封止部材４６が設けられなくてもよい。
【００３４】
本実施形態では、窓部材４２は、汚水槽１２の外周側から側面１２ｂから取り付けられているため、汚水槽１２における汚水等が溜められる容積（内部空間）を大きくすることができる。なお、窓部材４２は、汚水槽１２がピットＰｉ内に搬入された後に、ピットＰｉ内で汚水槽１２に取り付けられてもよい。また、窓部材４２は、汚水槽１２の内周側から側面１２に取り付けられてもよい。この場合には、汚水槽１２に溜められる汚水等によって、窓部材４２が汚水槽１２に当接する方向に力が作用するため、汚水槽１２と窓部材４２との隙間から汚水等が漏れ出すのを好適に防止することができる。
【００３５】
説明を図１に戻す。ポンプ２０は、公知のポンプであり、汚水槽１２に貯留された汚水等を外部に排水するために設けられている。ポンプ２０は、立軸形ポンプが用いられており、ピットＰｉ内の汚水槽１２の外部に設けられている。立軸形ポンプは横軸形ポンプに比べて小さい設置面積に設置することができ、ピットＰｉ内の限られたスペースに設置するのに有効である。また、立軸形ポンプでは、ポンプ２０が吸込配管２３の上方に接続されるため、吸込配管２３からポンプ２０を取り外したときに吸込配管２３内の汚水等がピットＰｉ内に漏れるのを防止できる。そのため、横軸ポンプと比べて交換時やメンテナンス時の汚水等の漏洩量が少なくなり、作業性が向上する。また、ポンプ２０を駆動するモータ２１がポンプ２０の上部に設置されているため、汚水槽１２から汚水等が溢れてピットＰｉ内に水が貯留される場合でも、モータ２１が被水するのを抑制できる。これにより、モータ２１の耐水性を低くすることができる。ただし、大雨等の不測の事態に備えて、モータ２１には防水加工を施すことが好ましい。
【００３６】
ポンプ２０は、吸込口に吸込配管２３が接続され、吐出口に吐出配管２２が接続されている。ポンプ２０の吸込配管２３と吐出配管２２とのそれぞれには、ポンプ２０の交換およびメンテナンスのために仕切弁１８ａ，１８ｂが設けられている。また、吐出配管２２には、逆流防止弁１７が設けられている。仕切弁１８ａ，１８ｂを閉じることにより、汚水槽１２および吐出配管２２の汚水等を抜くことなく、ポンプ２０の交換およびメンテナンス等を実施することができる。なお、逆流防止弁１７は、吐出配管２２に代えて、又は加えて、吸込配管２３に設けられてもよい。
【００３７】
照明装置３０は、汚水槽１２内に光を照射することができるように汚水槽１２内に設けられている。図３は、本実施形態に係る照明装置３０の一例を示す図である。図１及び図３に示すように、本実施形態では、照明装置３０は汚水槽１２の天井部（上面１２ｃ）に取り付けられている。ただし、照明装置３０は、汚水槽１２内のメンテナンスが容易となるように、汚水槽１２の側面１２ｂに取り付けられてもよい。
【００３８】
照明装置３０は、ランプ３１と、ランプ３１を覆うシールド管（カバー）３２と、を備えている。また、照明装置３０は、シールド管３２を汚水槽１２の上面１２ｃに固定するための支持部材３３と、支持部材３３とシールド管３２との間に設けられているＯリング３４と、を備えている。さらに、照明装置３０は、ランプ３１の電力線３１ａを封止するためのハウメチックシール３５、および、ハウメチックシール３５を汚水槽１２の上面１２ｃに固定するための支持部材３６を備えている。
【００３９】
ランプ３１は、公知の蛍光ランプまたはＬＥＤ等を用いることができる。ランプ３１の電力線３１ａは、図示しない外部電源または制御装置ＣＮに接続され、ランプ３１は制御装置ＣＮからの制御信号に応じて点灯する。本実施形態では、ランプ３１は、所定の光量の白色光を汚水槽１２内に照射できるものとしたが、光量および色調を変更できるものとしてもよい。ランプ３１は、シールド管３２によって覆われている。シールド管３２は、例えばガラスまたはアクリルなどの透明または半透明の素材で有底の円筒状に形成されている。本実施形態では、シールド管３２内には治具３２ａが設けられ、治具３２によってランプ３１がシールド管３２内で保持される。
【００４０】
シールド管３２は、支持部材３３が汚水槽１２の上面１２ｃにビスなどの締結具を介して固定され、支持部材３３がシールド管３２を支持することにより、汚水槽１２の上面１２ｃに支持される。本実施形態では、汚水槽１２の上面１２ｃと支持部材３３との当接面にはシール材３３ａが設けられており、支持部材３３とシールド管３２との間にはＯリング３４が設けられている。こうした構成により、シールド管３２内のランプ３１が、汚水等またはその汚水等から発生する気体に曝されることを防止できる。また、ランプ３１か
らの電力線３１ａには、ハウメチックシール３５が施されている。つまり、電力線３１ａはガラス体を介して金属板に封止されている。また、電力線３１ａのハウメチックシール３５は、支持部材３６を介して汚水槽１２の上面１２ｃに固定されている。こうした構成により、シールド管３２内に汚水または気体等が侵入することをより防止することができる。なお、照明装置３０の構成は、図３に示す例に限定されず、種々の方法を用いることができる。例えば、ランプ３１からの電力線３１ａはハウメチックシール３５に代えて、シール樹脂によって封止されてもよい。
【００４１】
このように、照明装置３０が汚水槽１２内に設けられることにより、汚水槽１２内に光を照射することができ、のぞき窓４０を介した汚水槽１２内の視認性を向上させることができる。なお、本実施形態では、ランプ３１（照明装置３０）は、ポンプ２０の始動水位よりも高い位置に設けられるものとした。これにより、照明装置３０が被水することを抑制できるとともに、始動水位以下における汚水槽１２内の容量を大きくすることができる。ただし、ランプ３１は、ポンプ２０の始動水位よりも低い位置に設けられてもよく、特にのぞき窓４０と同じ高さに位置するように設けられてもよい。この場合には、のぞき窓４０に近い位置においてランプ３１の光が照射されるため、のぞき窓４０を介した汚水槽１２内の視認性が更に向上する。
【００４２】
説明を図１に戻す。地階部分Ｂにはポンプ２０および照明装置３０の運転制御を行う制御装置ＣＮが設置されている。この制御装置ＣＮは、図示しないが、例えば、演算部としてのＣＰＵ、処理プログラムや各種設定値を記憶するＲＯＭ、データを一時的に記憶するＲＡＭ、更にはポンプ２０や汚水槽１２の状態を表示する表示部、及び、ポンプ２０の始動・停止の指令や各種設定値を変更するための操作を行う操作部などを備えていてもよい。また、制御装置ＣＮは、ＣＰＵ、ＲＯＭもしくはＲＡＭを用いずに、リレーシーケンスのみで構成される制御盤としてもよい。
【００４３】
この制御装置ＣＮは外部信号を入力する入力部ＣＮｉｎを有する。入力部ＣＮｉｎは、複数の端子もしくはコネクタで構成されており、一例として、ポンプ２０の停止に関する信号が入力される入力部ＣＮｉｎ１と、ポンプ２０の始動に関する信号が入力される入力部ＣＮｉｎ２と、を有する。本実施形態では、入力部ＣＮｉｎ１には水位センサ２６の第１フロート２６ａの接点信号が入力され、入力部ＣＮｉｎ２には水位センサ２６の第２フロート２６ｂの接点信号が入力される。また、制御装置ＣＮは、ポンプ２０の運転制御信号を出力する出力部ＣＮｏｕｔ１と、照明装置３０のランプ３１の点灯制御信号を出力する出力部Ｃｎｏｕｔと、を有している。制御装置ＣＮは、たとえば制御モードが試験運転とされるときに、または、ユーザーが操作部を操作することにより、ランプ３１を点灯させる。
【００４４】
こうした悪臭防止型排水設備１０では、まず地階部分Ｂで発生した汚水等は、流入管１５を介して汚水槽１２に溜まっていく。そして水位センサ２６によって汚水槽１２内の水位が起動水位Ｈｓ２以上になったことが検知（第２フロート２６ｂがＯＮ）されると、制御装置ＣＮの入力部ＣＮｉｎ２にＯＮ信号が入力される。制御装置ＣＮは、第２フロート２６ｂのＯＮ信号が入力部ＣＮｉｎ２に入力されることにより、ポンプ２０の運転を開始する制御指令を出力部ＣＮｏｕｔ１から出力する。これにより、ポンプ２０は、汚水槽１２の流出口１６及びポンプ２０の吸込配管２３を通じて汚水等を吸い込み、吐出配管２２を通じて汚水等を汚水ます９１に排水する。汚水ます９１に排水された汚水等は、汚水ます９３を介して公共下水道管８０に排水されていく。そして水位センサ２６によって汚水槽１２内の水位が停止水位Ｈｓ１を下回ったことが検知（第１フロート２６ａがＯＦＦ）されると、制御装置ＣＮの入力部ＣＮｉｎ１にＯＦＦ信号が入力される。制御装置ＣＮは、第１フロート２６ａのＯＦＦ信号が入力部ＣＮｉｎ１に入力されることにより、ポンプ２０の運転を停止する制御指令を出力部ＣＮｏｕｔ１から出力する。これにより、ポンプ
２０が停止する。
【００４５】
以上説明した実施形態の悪臭防止型排水設備１０では、汚水槽１２に開口１２ｄが形成されてのぞき窓４０が設けられているため、のぞき窓４０を通じて汚水槽１２の内部を視認することができる。しかも、本実施形態では、汚水槽１２内に光を照射する照明装置３０が設けられているため、汚水槽１２内の視認性を更に好適なものとすることができる。これにより、例えばポンプ２０の始動水位および停止水位を設定するときの作業が容易となり、好適な位置に始動水位および停止水位を設定することができる。また、悪臭防止型排水設備１０に異常が生じているときに、容易に汚水槽１２内を確認することができる。
【００４６】
（第１変形例）
図４は、第１変形例に係る汚水槽１２を示す図である。第１変形例の汚水槽１２は、実施形態の汚水槽１２の構成に加えて、窓部材４２に付着する異物を除去するための払拭機構５０を備えている。払拭機構５０としては、例えば窓部材４２の内側の面に当接する公知のワイパーまたはスクレーパを用いることができる。こうした払拭機構５０を設けることにより、窓部材４２に付着する異物を除去して、窓部材４２を通じた汚水槽１２内の視認性を向上させることができる。なお、払拭機構５０は、図４に示す例では、汚水槽１２の外部にハンドル５２が設けられて、ハンドル５２を操作することにより手動で動作するものとした。しかし、払拭機構５０は、制御装置ＣＮに接続されて制御装置ＣＮからの信号に応じて動作するものとしてもよい。
【００４７】
（第２変形例）
図５は、汚水槽１２が複数のパネル部材１２０により構成されている例を示す図である。図５では、パネル部材１２０の一部を省略して示している。また、図６は、ピット内へのパネル部材の搬入を模式的に示す図である。図５に示すように、第２変形例の汚水槽１２は、複数のパネル部材１２０が連結されることにより構成されている。複数のパネル部材１２０のそれぞれは、汚水槽１２の底面１２ａ、側面１２ｂ、および、上面１２ｃを画定する。
【００４８】
複数のパネル部材１２０は、例えば樹脂または金属により形成される。また、パネル部材１２０は、複数層の素材により形成されてもよく、例えば断熱性に優れた繊維強化プラスチック（ＦＲＰ）、合成樹脂発泡体、及び、合成樹脂外装などが積層されて形成されてもよい。複数のパネル部材１２０のそれぞれは、ピットＰｉに形成されている開口（マンホール）２４を通過できるように、一辺の長さＬｐが開口２４の径Ｄｍよりも小さくなっている。例えば、本実施形態では、ピットＰｉの開口２４は径Ｄｍが６００ｍｍの円柱状であり、複数のパネル部材１２０のそれぞれは、板面の各辺が径Ｄｍより小さく、略５００ｍｍ四方である。ただし、複数のパネル部材１２０は、それぞれが同一の大きさの板面形状である必要はなく、例えば底面を画定するパネル部材１２０と側面を画定するパネル部材１２０とで大きさが異なっていてもよい。また、パネル部材１２０は、板面の各辺の長さが開口２４の径Ｄｍより小さいものに限定されず、板面の長辺が径Ｄｍより大きいと共に短辺が径Ｄｍより小さくてもよい。このようにパネル部材１２０の大きさが決められることにより、図６に示すように、開口２４を通じて地階部分ＢからピットＰｉ内にパネル部材１２０を搬入することができる。
【００４９】
また、図５に示す例では、特定のパネル部材１２０に開口が形成されてのぞき窓４０が設けられている。しかし、のぞき窓４０は、複数のパネル部材１２０に跨って設けられてもよい。こうした第２変形例においても、実施形態の汚水槽１２と同様に、のぞき窓４０を通じて汚水槽１２内を視認することができる。
【００５０】
（第３変形例）
図７は、第３変形例の汚水槽１２を示す図である。第３変形例の汚水槽１２では、汚水槽１２の内部にポンプ２０が設けられている。ポンプ２０は、ポンプ２０が汚水等に浸かった状態で駆動可能な水中ポンプが用いられる。ポンプ２０は、吸込口が汚水槽１２内に設けられ、吐出口に接続されて汚水槽１２外に連通する吐出配管２２を通じて汚水等を汚水ますに排水する。こうした第３変形例においても、汚水槽１２にのぞき窓４０が設けられていることにより、のぞき窓４０を通じて汚水槽１２内を視認することができる。これにより、特にポンプ２０に異常が生じた場合に汚水槽１２内を視認して異常の原因を容易に確認することができる。
【００５１】
（第４変形例）
図８は第４変形例の汚水槽１２を示す図であり、図９は汚水槽１２を図８中Ｂ−Ｂ方向から見たＢＢ視図である。第４変形例の汚水槽１２では、有底円筒状のバレルの上端に蓋１４が取り付けられている。この蓋１４は、ポンプ２０等の汚水槽１２の内部をメンテナンスするときに開けられ、通常時には閉じた状態とされる。こうした蓋１４により、汚水槽１２内の汚水が汚水槽１２外に飛散することを防止できる。なお、蓋１４については、汚水槽１２が密閉されないように、通気孔が設けられたり、汚水槽１２に対して緩く嵌められたりすることが好ましい。
【００５２】
また、第４変形例の汚水槽１２は、汚水槽１２の側面を一周して締結するバンド部材５４，５６を備えている。バンド部材５４，５６は、汚水槽１２の強度を増すと共に、窓部材４２が汚水槽１２内の液体から受ける圧力によって外れてしまうことを防止するために、設けられている。図８に示す例では、汚水槽１２には、異なる２つの高さにバンド部材５４，５６が取り付けられているが、バンド部材５４，５６は、１つでもよいし、３つ以上でもよい。バンド部材５４，５６としては、例えば帯状の金属、革、布、または樹脂などを用いることができる。そして、一例として、図９に示すように汚水槽１２の側面を一周して端部同士を締結具（例えばボルト及びナット）５７で締結することにより、バンド部材５４，５６は汚水槽１２に取り付けられる。また、図９に示す例では、下方に位置するバンド部材５４は、補助バンド部材５５を介して、汚水槽１２の架台１９に固定されている。補助バンド部材５５は、架台１９とバンド部材５４とのそれぞれに図示しない締結具（例えば、アンカーボルト、ボルト及びナット）により固定されている。これにより、バンド部材５４および補助バンド部材５５は、汚水槽１２を架台１９に固定する効果も奏し、例えばピットＰｉ内に水が溢れた場合に汚水槽１２が浮くことを防止する。ただし、図８に示す例に限定されず、バンド部材５４は、補助バンド部材５５を介して架台１９に固定されていなくてもよい。また、上方のバンド部材５６についても、補助バンド部材５５を介して、バンド部材５４または架台１９に固定されてもよい。
【００５３】
図９に示す例では、窓部材４２は、開口１２ｄの外側から汚水槽１２に取り付けられており、汚水槽１２の外周面よりも外側に突出している。こうした場合には、バンド部材５４，５６は、図９に示すように、窓部材４２の形状に合わせて凹凸を有することが好ましい。また、図９に示す例では、窓部材４２と汚水槽１２とは、封止を兼ねる接着材４７によって接着されている。ただし、窓部材４２と汚水槽１２とは、上記した実施形態のように、封止部材４６、締結具４８、及び、枠部材４４の少なくとも１つを用いて互いに取り付けられてもよい。また、図１０は、第４変形例において、窓部材４２が開口１２ｄの内側から汚水槽１２に取り付けられている例を示す図である。図１０に示すように、窓部材４２の外周面と汚水槽１２の外周面とを面一にすることにより、バンド部材５４，５６に凹凸を生じさせず、バンド部材５４，５６を汚水槽１２に好適に取り付けることができる。
【００５４】
図１１は、第４変形例において、汚水槽１２の開口１２ｄに窓部材４２を挟んで支持する支持部１２ｅが形成されている例を示す図である。図１１に示す例では、支持部１２ｅ
は、窓部材４２の外周面および内周面を挟んで固定できるように、開口１２の左右端部にコの字型（Ｕ型）に形成されている。なお、開口１２ｄの下端部も同様に支持部１２ｅが形成されていてもよい。また、図１１に示す例では、支持部１２ｅは、汚水槽１２の側面の内側に突出して形成されているが、これに代えて、または加えて、汚水槽１２の側面の外側に突出して形成されてもよい。また、汚水槽１２の厚みが十分にある場合には、開口１２ｄの一部が切り欠かれることにより、支持部１２ｅが形成されてもよい。
【００５５】
また、上記した実施形態および変形例では、汚水槽１２の側面の一部に開口１２ｄが設けられるものとしたが、開口１２ｄは、汚水槽１２の上端まで延びて形成されてもよい。この場合には、特に図１１に示す例において、窓部材４２を汚水槽１２の上端から下方に挿入することにより、窓部材４２を汚水槽１２に取り付けることができ、組立作業性が向上する。また、この場合には、汚水槽１２の上端を補強するように、蓋１４が汚水槽１２の上端に嵌められることが好ましい。
【００５６】
（その他の変形例）
上記した実施形態および第１〜第４変形例では、ピットＰｉに１つの汚水槽１２と１つのポンプ２０とが設けられるものとした。しかし、悪臭防止型排水設備は、ピットＰｉ内に２つ（２基）以上の汚水槽１２を備えてもよいし、２つ以上のポンプ２０を備えてもよい。また、特定の汚水槽１２に対して複数のポンプ２０が接続されてもよいし、複数の汚水槽１２毎にポンプ２０が接続されてもよい。汚水槽１２が複数設けられる場合、汚水槽１２は、汚水ます９０に対して直列に接続されてもよいし、並列に接続されてもよい。また、汚水槽１２が複数設けられる場合には、のぞき窓４０は、ポンプ２０の吸込口が接続された汚水槽１２だけ、または、ポンプ２０を収容する汚水槽１２だけに、設けられてもよいし、複数の汚水槽１２のそれぞれに設けられてもよい。なお、汚水槽１２の容量および数については、建物の規模および地階部分Ｂの水の使用量に応じて、汚水の流入量に見合った水を貯留することができ、且つ、予備の容量を備えることができるように決定されればよい。
【００５７】
また、悪臭防止型排水設備は、汚水槽１２に接続されているポンプ２０とは別に、ピットＰｉ内に予備ポンプが設けられていてもよい。予備ポンプは、下端に吸込口を有し、ピットＰｉ内に貯留された汚水等の水を外部（汚水ます９１等）に排水する。予備ポンプは、例えば局地的な大雨により汚水槽１２から汚水があふれたときに起動する。予備ポンプとしては、ピットＰｉ内の既設のポンプを残して利用してもよい。また、汚水槽１２に接続されているポンプ２０を立軸形ポンプとした場合には、予備ポンプの吸込口の高さをポンプ２０のモータ２１の高さより低く、且つ、予備ポンプの起動水位をポンプ２０のモータ２１の高さより低くすることが好ましい。こうすれば、ピットＰｉ内に水が貯留されても、予備ポンプにて排水可能な間はポンプ２０のモータ２１が浸水しないため、モータ２１の防水対策を簡易なものとすることができる。
【００５８】
以上、本発明の実施の形態について説明してきたが、上記した発明の実施の形態は、本発明の理解を容易にするためのものであり、本発明を限定するものではない。本発明は、その趣旨を逸脱することなく、変更、改良され得るとともに、本発明にはその均等物が含まれることはもちろんである。また、上述した課題の少なくとも一部を解決できる範囲、または、効果の少なくとも一部を奏する範囲において、実施形態および変形例の任意の組み合わせが可能であり、特許請求の範囲および明細書に記載された各構成要素の任意の組み合わせ、または、省略が可能である。
【符号の説明】
【００５９】
Ｂ…地階部分
Ｐｉ…ピット
ＣＮ…制御装置
ＣＮｉｎ…入力部
ＣＮｏｕｔ…出力部
１０…悪臭防止型排水設備
１２…汚水槽
１２ａ…底面
１２ｂ…側面
１２ｃ…上面
１２ｄ…開口
１３…開口部
１４…蓋
１５…流入管
１６…流出口
１７…逆流防止弁
１８…仕切弁
１９…架台
２０…ポンプ
２１…モータ
２２…吐出配管
２３…吸込配管
２４…開口
２５…蓋
２６…水位センサ
２６ａ…第１フロート
２６ｂ…第２フロート
２７…カバー
３０…照明装置
３１…ランプ
３２…シールド管
４０…のぞき窓
４２…窓部材
５０…払拭機構
５２…ハンドル
１２０…パネル部材
【図１】
2018145609.tif 000003
【図２】
2018145609.tif 000004
【図３】
2018145609.tif 000005
【図４】
2018145609.tif 000006
【図５】
2018145609.tif 000007
【図６】
2018145609.tif 000008
【図７】
2018145609.tif 000009
【図８】
2018145609.tif 000010
【図９】
2018145609.tif 000011
【図１０】
2018145609.tif 000012
【図１１】
2018145609.tif 000013
【図１２】
2018145609.tif 000014